(57)【要約】【課題】採血時に病原体の不活化処理を行うことにより、不活化処理の時間及びコストを低減することができる採血装置、採血キット、採血システム、採血方法及び不活化処理方法を提供する。【解決手段】採血装置１０Ａは、採血ライン２４及び採血バッグ２６を備えた採血キット１４が配置されるように構成され、採血バッグ２６を収容可能な収容部（第２配置部１１２）と、収容部内を減圧することにより採血ライン２４を介して採血バッグ２６内に血液を吸引する減圧ポンプ９８と、採血ライン２４上に設けられた不活化処理部３６Ａを配置可能な配置部（第１配置部１１０）と、配置部に設けられ、病原体不活化剤が添加され不活化処理部３６Ａを流れる血液に病原体を不活化する波長の光を照射する光照射部（第１光照射部１２２）と、を備える。【選択図】図１
2018157964.tif 000002
【特許請求の範囲】
【請求項１】
採血ライン及び採血バッグを備えた採血キットが配置されるように構成され、ドナーに穿刺した採血針から前記採血ラインを介して前記採血バッグ内に血液を採取する採血装置であって、
前記採血バッグを収容可能な収容部と、
前記収容部内を減圧することにより前記採血ラインを介して前記採血バッグ内に血液を吸引する減圧手段と、
前記採血ライン上に設けられた不活化処理部を配置可能な配置部と、
前記配置部に設けられ、病原体不活化剤が添加され前記不活化処理部を流れる血液に病原体を不活化する波長の光を照射する光照射部と、を備える、
ことを特徴とする採血装置。
【請求項２】
請求項１記載の採血装置において、
前記光照射部は、２００ｎｍ以上４００ｎｍ以下の範囲の波長を有する紫外線を照射する、
ことを特徴とする採血装置。
【請求項３】
請求項１又は２に記載の採血装置において、
前記光照射部は、前記不活化処理部が前記配置部に配置された状態で前記不活化処理部を挟んだ両側から前記光を照射するように構成された複数の発光部を有する、
ことを特徴とする採血装置。
【請求項４】
請求項３記載の採血装置において、
前記不活化処理部は、チューブ状に構成されており、
前記発光部は、前記不活化処理部が前記配置部に配置された状態で前記不活化処理部の周方向に等間隔に４つ設けられている、
ことを特徴とする採血装置。
【請求項５】
請求項４に記載の採血装置において、
前記光照射部は、前記不活化処理部が挿入可能な溝が形成された支持部を有し、
複数の前記発光部は、前記支持部に固定されている、
ことを特徴とする採血装置。
【請求項６】
請求項３〜５のいずれか１項に記載の採血装置において、
前記発光部は、発光ダイオードである、
ことを特徴とする採血装置。
【請求項７】
請求項１〜６のいずれか１項に記載の採血装置において、
前記光照射部としての第１光照射部と、
前記採血バッグ内に収容されて前記病原体不活化剤が添加された血液に前記光を照射する第２光照射部と、を備える、
ことを特徴とする採血装置。
【請求項８】
請求項１〜７のいずれか１項に記載の採血装置において、
前記配置部は、前記収容部に対して水平方向に隣接して設けられている、
ことを特徴とする採血装置。
【請求項９】
請求項１〜７のいずれか１項に記載の採血装置において、
前記配置部は、前記収容部の上方に隣接して設けられている、
ことを特徴とする採血装置。
【請求項１０】
ドナーに穿刺した採血針から採血ラインを介して採血バッグ内に血液を採取する採血方法であって、
前記採血ラインを流れる血液に病原体不活化剤を添加する添加工程と、
前記病原体不活化剤が添加された血液に病原体を不活化する波長の光を照射する光照射工程と、
前記光が照射された血液を前記採血バッグ内に収容する収容工程と、を行う、
ことを特徴とする採血方法。
【請求項１１】
請求項１０記載の採血方法において、
前記光照射工程では、２００ｎｍ以上４００ｎｍ以下の範囲の波長を有する紫外線を照射する、
ことを特徴とする採血方法。
【請求項１２】
請求項１０又は１１に記載の採血方法において、
前記光照射工程では、前記病原体不活化剤が添加された血液が流通する不活化処理部を挟んだ両側から前記光を照射する、
ことを特徴とする採血方法。
【請求項１３】
請求項１０〜１２のいずれか１項に記載の採血方法において、
前記不活化処理部は、チューブ状に構成され、
前記光照射工程では、前記病原体不活化剤が添加された血液が流通する不活化処理部の血液の流通方向と直交する第１方向に前記不活化処理部を挟んだ両側と、前記流通方向及び前記第１方向に直交する第２方向に前記不活化処理部を挟んだ両側とから前記光を照射する、
ことを特徴とする採血方法。
【請求項１４】
ドナーに穿刺した採血針から採血ラインを介して採血バッグ内に血液を採取する採血キットにおいて、
病原体不活化剤が収容された収容バッグと、
前記収容バッグ内の前記病原体不活化剤を前記採血ラインに導く導入チューブと、を備え、
前記採血ラインには、前記病原体不活化剤が添加された血液が流通し、病原体を不活化する波長の光が照射される不活化処理部が設けられている、
ことを特徴とする採血キット。
【請求項１５】
請求項１４記載の採血キットにおいて、
前記不活化処理部の処理流路は、血液の流通方向と直交する幅方向の寸法が前記流通方向及び前記幅方向と直交する高さ方向の寸法よりも長く形成されている、
ことを特徴とする採血キット。
【請求項１６】
請求項１５記載の採血キットにおいて、
前記不活化処理部の処理流路の高さ方向の寸法は、５０μｍ以上４００μｍ以下に設定されている、
ことを特徴とする採血キット。
【請求項１７】
請求項１４〜１６のいずれか１項に記載の採血キットにおいて、
前記不活化処理部の処理流路には、血液の流通方向と交差する方向に延在した壁部が設けられている、
ことを特徴とする採血キット。
【請求項１８】
請求項１４〜１６のいずれか１項に記載の採血キットにおいて、
前記不活化処理部の処理流路は、蛇行するように延在している、
ことを特徴とする採血キット。
【請求項１９】
ドナーに穿刺した採血針から採血ラインを介して採血バッグ内に血液を採取する採血キットと、前記採血キットが配置されるように構成された採血装置と、を備えた採血システムであって、
前記採血キットは、
病原体不活化剤が収容された収容バッグと、
前記収容バッグ内の前記病原体不活化剤を前記採血ラインに導く導入チューブと、
前記採血ラインに設けられ、前記病原体不活化剤が添加された血液が流通する不活化処理部と、を有し、
前記採血装置は、
前記採血バッグを収容可能な収容部と、
前記収容部内を減圧することにより前記採血ラインを介して前記採血バッグ内に血液を吸引する減圧手段と、
前記不活化処理部を配置可能な配置部と、
前記配置部に設けられ、前記不活化処理部を流れる血液に病原体を不活化する波長の光を照射する光照射部と、を有し、
前記不活化処理部及び前記光照射部は、前記不活化処理部を流れる血液に対して３０Ｊ／Ｌ・ｃｍ2以上の積算光量を照射可能に構成されている、
ことを特徴とする採血システム。
【請求項２０】
ドナーから全血を採取するための採血針と、該全血を収容する収容バッグと、前記採血針と前記収容バッグとをつなぐ採血ラインと、該採血ライン上に設けられた不活化処理部とを備える採血キットを用いて前記全血の病原体を不活化処理する不活化処理方法であって、
前記ドナーから前記採血針を介して全血を採取する採取工程と、
前記採取した全血に病原体不活化剤を添加する添加工程と、
前記採取した全血を前記不活化処理部に導入する導入工程と、
前記導入工程によって前記不活化処理部に導入され且つ前記添加工程によって前記病原体不活化剤が添加された全血に病原体を不活化する波長の光を照射する光照射工程と、を行う、
ことを特徴とする不活化処理方法。
【発明の詳細な説明】
【技術分野】
【０００１】
本発明は、ドナーに穿刺した採血針から採血ラインを介して採血バッグ内に血液を採取する採血装置、採血キット、採血システム、採血方法及び不活化処理方法に関する。
【背景技術】
【０００２】
近年、輸血においては、献血等により得られた血液（全血）の成分を分離して患者が必要とする成分だけを提供する成分輸血が行われている。成分輸血によれば、患者にとって循環器系への負担や副作用を軽減することができるとともに、献血された血液の有効利用が図られる。
【０００３】
献血によりドナーから血液バッグに採取した血液（全血）は、必要な血液製剤（赤血球製剤、血小板製剤及び血漿製剤）に遠心分離されて血液製剤毎に複数のバッグに移送され、各血液製剤においてウィルス等の病原体の不活化処理が行われる。特許文献１には、血液製剤が収容されたバッグに光活性剤（病原体不活化剤）を添加し、所定波長の光を照射することにより、病原体不活化剤を活性化させて病原体を不活化する技術的思想が開示されている。
【先行技術文献】
【特許文献】
【０００４】
【特許文献１】特許第４１５４１９１号公報
【発明の概要】
【発明が解決しようとする課題】
【０００５】
しかしながら、上述した従来技術では、血液バッグに採取した血液を複数の血液製剤に分離した後で、各血液製剤に対して病原体の不活化処理を行っている。そのため、血液製剤の数だけ不活化処理を行う必要があり、多くの時間及びコストがかかるという問題がある。
【０００６】
本発明は、このような課題を考慮してなされたものであり、採血時に病原体の不活化処理を行うことにより、不活化処理の時間及びコストを低減することができる採血装置、採血キット、採血システム、採血方法及び不活化処理方法を提供することを目的とする。
【課題を解決するための手段】
【０００７】
上記目的を達成するために、本発明に係る採血装置は、採血ライン及び採血バッグを備えた採血キットが配置されるように構成され、ドナーに穿刺した採血針から前記採血ラインを介して前記採血バッグ内に血液を採取する採血装置であって、前記採血バッグを収容可能な収容部と、前記収容部内を減圧することにより前記採血ラインを介して前記採血バッグ内に血液を吸引する減圧手段と、前記採血ライン上に設けられた不活化処理部を配置可能な配置部と、前記配置部に設けられ、病原体不活化剤が添加され前記不活化処理部を流れる血液に病原体を不活化する波長の光を照射する光照射部と、を備える、ことを特徴とする。
【０００８】
このような構成によれば、不活化処理部を流れる血液に病原体を不活化する波長の光を照射するため、採血バッグには不活化処理が実施された後の血液が収容されることになる。つまり、採血中に病原体の不活化処理を行うことができる。これにより、採血バッグに採取した血液を複数の血液製剤に分離した後、血液製剤毎に不活化処理を行う場合と比較して、不活化処理の時間及びコストを低減することができる。
【０００９】
上記の採血装置において、前記光照射部は、２００ｎｍ以上４００ｎｍ以下の範囲の波長を有する紫外線を照射してもよい。
【００１０】
このような構成によれば、病原体の不活化処理を効果的に行うことができる。
【００１１】
上記の採血装置において、前記光照射部は、前記不活化処理部が前記配置部に配置された状態で前記不活化処理部を挟んだ両側から前記光を照射するように構成された複数の発光部を有していてもよい。
【００１２】
このような構成によれば、不活化処理部を流れる血液に光を効率的に照射することができる。
【００１３】
上記の採血装置において、前記不活化処理部は、チューブ状に構成されており、前記発光部は、前記不活化処理部が前記配置部に配置された状態で前記不活化処理部の周方向に等間隔に４つ設けられていてもよい。
【００１４】
このような構成によれば、不活化処理部を流れる血液に光をさらに効率的に照射することができる。
【００１５】
上記の採血装置において、前記光照射部は、前記不活化処理部が挿入可能な溝が形成された支持部を有し、複数の前記発光部は、前記支持部に固定されていてもよい。
【００１６】
このような構成によれば、発光部に対する不活化処理部の位置を略一定にすることができる。よって、不活化処理部を流れる血液に光を安定して照射することができる。
【００１７】
上記の採血装置において、前記発光部は、発光ダイオードであってもよい。
【００１８】
このような構成によれば、発光部を水銀ランプで構成した場合と比較して発熱を抑えることができるため、発光部を不活化処理部に対して近接させることができる。これにより、不活化剤添加血液に対して光を一層効率的に照射することができる。
【００１９】
上記の採血装置において、前記光照射部としての第１光照射部と、前記採血バッグ内に収容されて前記病原体不活化剤が添加された血液に前記光を照射する第２光照射部と、を備えていてもよい。
【００２０】
このような構成によれば、採血バッグ内に収容された血液に対して病原体の不活化処理を行うことができる。そのため、血液に対する病原体の不活化処理を一層確実に行うことができる。
【００２１】
上記の採血装置において、前記配置部は、前記収容部に対して水平方向に隣接して設けられていてもよい。
【００２２】
このような構成によれば、採血装置の構成を簡素化できる。
【００２３】
上記の採血装置において、前記配置部は、前記収容部の上方に隣接して設けられていてもよい。
【００２４】
このような構成によれば、配置部を収容部に対して水平方向に設けた場合と比較して採血装置の設置面積を小さくすることができる。
【００２５】
本発明に係る採血方法は、ドナーに穿刺した採血針から採血ラインを介して採血バッグ内に血液を採取する採血方法であって、前記採血ラインを流れる血液に病原体不活化剤を添加する添加工程と、前記病原体不活化剤が添加された血液に病原体を不活化する波長の光を照射する光照射工程と、前記光が照射された血液を前記採血バッグ内に収容する収容工程と、を行うことを特徴とする。
【００２６】
上記の採血方法において、前記光照射工程では、２００ｎｍ以上４００ｎｍ以下の範囲の波長を有する紫外線を照射してもよい。
【００２７】
上記の採血方法において、前記光照射工程では、前記病原体不活化剤が添加された血液が流通する不活化処理部を挟んだ両側から前記光を照射してもよい。
【００２８】
上記の採血方法において、前記不活化処理部は、チューブ状に構成され、前記光照射工程では、前記病原体不活化剤が添加された血液が流通する不活化処理部の血液の流通方向と直交する第１方向に前記不活化処理部を挟んだ両側と、前記流通方向及び前記第１方向に直交する第２方向に前記不活化処理部を挟んだ両側とから前記光を照射してもよい。
【００２９】
本発明に係る採血キットは、ドナーに穿刺した採血針から採血ラインを介して採血バッグ内に血液を採取する採血キットにおいて、病原体不活化剤が収容された収容バッグと、前記収容バッグ内の前記病原体不活化剤を前記採血ラインに導く導入チューブと、を備え、前記採血ラインには、前記病原体不活化剤が添加された血液が流通し、病原体を不活化する波長の光が照射される不活化処理部が設けられていることを特徴とする。
【００３０】
上記の採血キットにおいて、前記不活化処理部の処理流路は、血液の流通方向と直交する幅方向の寸法が前記流通方向及び前記幅方向と直交する高さ方向の寸法よりも長く形成されていてもよい。
【００３１】
このような構成によれば、処理流路の高さ方向から処理流路内を流通する血液に光を効率的に照射することができる。
【００３２】
上記の採血キットにおいて、前記不活化処理部の処理流路の高さ方向の寸法は、５０μｍ以上４００μｍ以下に設定されていてもよい。
【００３３】
このような構成によれば、不活化処理部の処理流路を流れる血液の全体に光を効率的に照射することができる。
【００３４】
上記の採血キットにおいて、前記不活化処理部の処理流路には、血液の流通方向と交差する方向に延在した壁部が設けられていてもよい。
【００３５】
このような構成によれば、処理流路内の血液の流れが壁部によって妨げられるため、壁部が設けられていない場合と比較して処理流路内を流通する血液に対する光の照射時間（血液の単位面積当たりの光の積算照射量）を長くすることができる。
【００３６】
上記の採血キットにおいて、前記不活化処理部の処理流路は、蛇行するように延在していてもよい。
【００３７】
このような構成によれば、処理流路内を流通する血液に対する光の照射時間を長くすることができる。
【００３８】
本発明に係る採血システムは、ドナーに穿刺した採血針から採血ラインを介して採血バッグ内に血液を採取する採血キットと、前記採血キットが配置されるように構成された採血装置と、を備えた採血システムであって、前記採血キットは、病原体不活化剤が収容された収容バッグと、前記収容バッグ内の前記病原体不活化剤を前記採血ラインに導く導入チューブと、前記採血ラインに設けられ、前記病原体不活化剤が添加された血液が流通する不活化処理部と、を有し、前記採血装置は、前記採血バッグを収容可能な収容部と、前記収容部内を減圧することにより前記採血ラインを介して前記採血バッグ内に血液を吸引する減圧手段と、前記不活化処理部を配置可能な配置部と、前記配置部に設けられ、前記不活化処理部を流れる血液に病原体を不活化する波長の光を照射する光照射部と、を有し、前記不活化処理部及び前記光照射部は、前記不活化処理部を流れる血液に対して３０Ｊ／Ｌ・ｃｍ2以上の積算光量を照射可能に構成されていることを特徴とする。
【００３９】
このような構成によれば、採血時に病原体の不活化処理を確実に行うことができる。
【００４０】
本発明に係る不活化処理方法は、ドナーから全血を採取するための採血針と、該全血を収容する収容バッグと、前記採血針と前記収容バッグとをつなぐ採血ラインと、該採血ライン上に設けられた不活化処理部とを備える採血キットを用いて前記全血を不活化処理する方法であって、前記ドナーから前記採血針を介して全血を採取する採取工程と、前記採取した全血に病原体不活化剤を添加する添加工程と、前記採取した全血を前記不活化処理部に導入する導入工程と、前記導入工程によって前記不活化処理部に導入され且つ前記添加工程によって前記病原体不活化剤が添加された全血に病原体を不活化する波長の光を照射する光照射工程と、を行うことを特徴とする。
【発明の効果】
【００４１】
本発明によれば、不活化処理部を流れる血液に病原体を不活化する波長の光を照射するため、不活化処理の時間及びコストを低減することができる。
【図面の簡単な説明】
【００４２】
【図１】本発明の一実施形態に係る採血キットの概略構成図である。
【図２】図２Ａは図１の不活化処理部の縦断面図であり、図２Ｂは図２ＡのＩＩＢ−ＩＩＢ線に沿った断面図である。
【図３】本発明の一実施形態に係る採血装置に採血キットが組み込まれた採血システムの一部省略斜視図である。
【図４】図４Ａは、図３の採血装置の一部断面平面図であり、図４Ｂは図４ＡのＩＶＢ−ＩＶＢ線に沿った断面図である。
【図５】図５Ａは第１照射ユニットの平面図であり、図５Ｂは、処理流路内を流通する血液を不活化している状態を示す断面模式図である。
【図６】図６Ａは、不活化処理部の変形例を示す一部省略断面図であり、図６Ｂは、不活化処理部の他の変形例を示す一部省略断面図であり、図６Ｃは、不活化処理部の他の変形例を示す一部省略平面図であり、図６Ｄは、不活化処理部の他の変形例を示す一部省略断面図である。
【図７】図７Ａは、不活化処理部の他の変形例と第１光照射部の変形例を説明する一部省略模式図であり、図７Ｂは図７ＡのＶＩＩＢ−ＶＩＩＢ線に沿った断面図である。
【図８】図８Ａは、不活化処理部の他の変形例を示す平面図であり、図８Ｂは第１光照射部の他の変形例を示す模式的平面図である。
【図９】図９Ａは、図８Ａの不活化処理部を図８Ｂの第１光照射部に装着した状態を示す模式的平面図であり、図９Ｂは、図９ＡのＩＸＢ−ＩＸＢ線に沿った断面図である。
【図１０】採血システムの変形例を説明する一部断面説明図である。
【発明を実施するための形態】
【００４３】
以下、本発明に係る採血装置、採血キット、採血システム、採血方法及び不活化処理方法について好適な実施形態を挙げ、添付の図面を参照しながら説明する。
【００４４】
図１及び図３に示すように、本実施形態に係る採血システム１２Ａは、ドナーに穿刺した採血針２２から採血ライン２４を介して採血バッグ２６内に血液を採取するものであって、採血キット１４と採血装置１０Ａとを備える。まず、採血キット１４について説明する。
【００４５】
図１に示すように、採血キット１４は、ドナーから血液（全血）を採取する血液採取部１６と、全血から所定の血液成分を除去する前処理部１８と、所定成分が除去された残余の血液成分を遠心分離して複数の血液成分に分けるとともに各成分を異なるバッグに収容（貯留）する分離処理部２０とを有する。
【００４６】
血液採取部１６は、採血針２２と、採血チューブ２８ａ〜２８ｄと、分岐コネクタ３０、５０と、初流血バッグ３２と、収容バッグ３４と、不活化処理部３６Ａと、採血バッグ２６とを有する。
【００４７】
採血針２２には、使用前まではキャップ３８が装着され、使用後はニードルガード４０が装着される。ニードルガード４０は、採血チューブ２８ａに長手方向に沿って移動可能に配設されている。採血針２２には、採血チューブ２８ａの一端が接続され、採血チューブ２８ａの他端には、分岐コネクタ３０の第１ポート３０ａが接続される。分岐コネクタ３０の第２ポート３０ｂには、一端に初流血バッグ３２が接続された分岐チューブ４２の他端が接続される。分岐チューブ４２の途中部位には、分岐チューブ４２の流路を閉塞及び開放するクランプ４４が設けられる。
【００４８】
初流血バッグ３２は、例えば、ポリ塩化ビニル、ポリオレフィンのような軟質樹脂製の可撓性を有するシート材を重ね、その周縁のシール部において融着（熱融着、高周波融着）又は接着し、袋状に構成されたものである。なお、収容バッグ３４及び採血バッグ２６も同様に袋状に構成されたものである。初流血バッグ３２にはサンプリングポート４６が接続される。
【００４９】
分岐コネクタ３０の第３ポート３０ｃには、封止部材４８が設けられている。封止部材４８は、初期状態では、流路が閉塞しているが、破断操作を行うことで流路が開通するように構成されたものである。封止部材４８には、採血チューブ２８ｂの一端が接続され、採血チューブ２８ｂの他端には、分岐コネクタ５０の第１ポート５０ａが接続される。分岐コネクタ５０の第２ポート５０ｂには、一端に封止部材５１を介して収容バッグ３４が接続された分岐チューブ５３の他端が接続される。分岐チューブ５３の途中部位には、分岐チューブ５３の流路を閉塞及び開放するクランプ５５が設けられる。封止部材５１は、上述した封止部材４８と同様に構成される。後述する封止部材６２、８６、８８についても同様である。
【００５０】
収容バッグ３４内には、所定波長の光が照射されることによって活性化して病原体を不活化する病原体不活化剤（以下、「不活化剤」という。）が収容されている。病原体としては、ウィルス、細菌、寄生虫、プリオン等が挙げられる。不活化剤としては、例えば、ビタミンＢ２であるリホブラビン液が挙げられる。
【００５１】
分岐コネクタ５０の第３ポート５０ｃには、採血チューブ２８ｃの一端が接続され、採血チューブ２８ｃの他端には、不活化処理部３６Ａが接続される。図１及び図２Ａに示すように、不活化処理部３６Ａは、平面視で矩形状の処理本体部５２と、処理本体部５２の一端に設けられて採血チューブ２８ｃの他端が接続される入口ポート５４と、処理本体部５２の他端に設けられて採血チューブ２８ｄの一端が接続される出口ポート５６とを有する。
【００５２】
処理本体部５２は、紫外線を吸収し難い透明性を有する硬質樹脂材料によって板状に構成されている。すなわち、処理本体部５２を構成する材料としては例えば、アクリル樹脂等の紫外線吸収剤を含有しない透明プラスチックが挙げられる。処理本体部５２には、不活化剤が添加された血液が流通する処理流路５８が形成されている。
【００５３】
処理流路５８は、入口ポート５４の内孔と出口ポート５６の内孔とのそれぞれに連通する。処理流路５８は、処理本体部５２の一端から他端に向かって徐々に幅広に形成された導入部５８ａと、導入部５８ａに連なり一定の幅寸法を有する中間部５８ｂと、中間部５８ｂから処理本体部５２の他端に向かって徐々に幅狭に形成された導出部５８ｃとを含む。
【００５４】
図２Ａ及び図２Ｂに示すように、中間部５８ｂの幅寸法ｗは、採血チューブ２８ｄの内径ｄよりも大きい。処理流路５８の高さ寸法ｈ（処理本体部５２の厚さ方向に沿った隙間）は、中間部５８ｂの幅寸法ｗよりも小さく且つ採血チューブ２８ｄの内径ｄよりも小さい。具体的には、処理流路５８を流通する血液の全体に効率的に光を照射するために、処理流路５８の高さ寸法ｈは、５０μｍ以上４００μｍ以下に設定するのが好ましい。ただし、処理流路５８の幅寸法ｗ及び高さ寸法ｈは、任意に設定可能である。また、処理本体部５２による光の吸収を少なくするため、処理本体部５２のうち処理流路５８を高さ方向から挟む壁部の厚さは、処理流路５８の高さ寸法ｈと同じ程度又は高さ寸法ｈよりも小さく形成されている。
【００５５】
なお、処理流路５８は、不活化剤が添加された血液に対して積算で所定量以上の光量を照射できるように構成されていればよい。この場合、単位量当たりの血液に対して、３０Ｊ／Ｌ・ｃｍ2以上の積算光量を照射するよう構成されていることが好ましい。例えば、４００ｍｌの採血時においては、採取する４００ｍＬの血液に対して積算光量として１２０００ｍＪ／ｃｍ2以上を照射するよう構成されている。
【００５６】
図１に示すように、採血チューブ２８ｄの他端は、採血バッグ２６に接続される。採血バッグ２６は、ドナーから採取した血液（全血）を収容（貯留）するためのバッグである。採血バッグ２６内には、予め抗凝固剤が入れられていることが好ましい。この抗凝固剤は、通常液体であり、例えば、ＡＣＤ−Ａ液、ＣＰＤ液、ＣＰＤＡ−１液、ヘパリンナトリウム液等が挙げられる。これらの抗凝固剤の量は、予定採血量に応じた適正な量とされる。
【００５７】
前処理部１８は、所定細胞（白血球及び血小板）を除去するフィルタ６０と、一端が封止部材６２を介して採血バッグ２６に接続され他端がフィルタ６０の入口に接続された入口側チューブ６４と、一端がフィルタ６０の出口に接続され他端が分離処理部２０に接続された出口側チューブ６６とを有する。出口側チューブ６６の途中部位には、出口側チューブ６６の流路を閉塞及び開放するクランプ６８が設けられている。
【００５８】
分離処理部２０は、全血から白血球及び血小板を除去した残余の血液成分を血漿及び濃厚赤血球の２つの成分に遠心分離し、血漿及び濃厚赤血球を異なるバッグに分けて収容、保存するように構成されている。分離処理部２０は、フィルタ６０で所定細胞が除去された残余の血液を収容（貯留）する第１バッグ７０（赤血球バッグ）と、第１バッグ７０内の血液を遠心分離して得られた上清成分を収容及び保存する第２バッグ７２（血漿バッグ）と、赤血球保存液が収容された第３バッグ７４（薬液バッグ）と、これらバッグを接続する移送ライン７６とを有する。
【００５９】
第１バッグ７０は、フィルタ６０で所定細胞が除去された残余の血液を収容（貯留）するためのバッグと、当該血液を遠心分離して得られた沈降成分（濃厚赤血球）を保存するためのバッグとを兼ねている。
【００６０】
移送ライン７６は、移送チューブ７８、８０、８２及び分岐コネクタ８４を備える。移送チューブ７８の一端は、第１バッグ７０に封止部材８６を介して接続され、移送チューブ７８の他端は分岐コネクタ８４の第１ポート８４ａに接続される。分岐コネクタ８４の第２ポート８４ｂには、移送チューブ８０の一端が接続され、移送チューブ８０の他端は第２バッグ７２に接続されている。分岐コネクタ８４の第３ポート８４ｃには、移送チューブ８２の一端が接続され、移送チューブ８２の他端は封止部材８８を介して第３バッグ７４に接続されている。
【００６１】
次に、採血装置１０Ａについて説明する。図３〜図４Ｂに示すように、採血装置１０Ａは、採血ライン２４及び採血バッグ２６を備えた採血キット１４が配置されるように構成されている。採血装置１０Ａは、箱形であって、本体部９０と、本体部９０の上面を開閉するカバー９２とを備える。カバー９２には、ハンドル部９２ａが設けられている。本体部９０の正面下部には電源スイッチ９４が設けられ、正面上部には操作パネル９６が設けられている。本体部９０の内部には、減圧ポンプ９８（減圧手段）が配設されている（図４Ｂ参照）。
【００６２】
操作パネル９６には、複数のスイッチが設けられている。スイッチとしては、採血を開始する開始スイッチ、停止させる停止スイッチ、混和を行う混和スイッチ、採血量を選択する採血量選択スイッチ、光照射を行う事を選択する選択スイッチ等が挙げられる。
【００６３】
本体部９０における操作パネル９６よりも上部には、採血チューブ２８ｃを通すチューブ通路１００と、チューブ通路１００において採血チューブ２８ｃを閉塞及び開放するクランプ１０２と、クランプ１０２を閉塞動作させるクランプレバー１０４と、閉塞状態のクランプ１０２を開放させるクランプ解除レバー１０６とを有する。
【００６４】
図４Ａ及び図４Ｂに示すように、採血装置１０Ａは、不活化処理部３６Ａが配置可能な第１配置部１１０と、採血バッグ２６、前処理部１８及び分離処理部２０が配置可能（収容可能）な第２配置部１１２（収容部）とを有する。第１配置部１１０と第２配置部１１２とは隔壁１０８によって区画されている。隔壁１０８には、不活化処理部３６Ａと採血バッグ２６とを互いに連結する採血チューブ２８ｄが挿通する挿通孔１１４が形成されている。第２配置部１１２には、採血バッグ２６内に採取された血液量（採血量）を測定可能なトレー１１６が設けられている。トレー１１６は、採血バッグ２６内の血液の凝血を防止するために、図示しない揺動機構によって揺動可能に構成されている。
【００６５】
第１配置部１１０が位置する箇所と第２配置部１１２が位置する箇所は、カバー９２が閉じられることによってそれぞれ略閉空間となり、第１収容室１１８と第２収容室１２０とが形成される。カバー９２は、閉じられた状態で第１収容室１１８及び第２収容室１２０のそれぞれが略気密となるように本体部９０の上面及び隔壁１０８に接触する。
【００６６】
第１配置部１１０には、不活化処理部３６Ａに所定波長の光を照射する第１光照射部１２２が設けられ、第２配置部１１２には、採血バッグ２６に所定波長の光を照射する第２光照射部１２４が設けられている。第１光照射部１２２は、本体部９０に設けられた第１照射ユニット１２２ａと、カバー９２の内面に設けられた第２照射ユニット１２２ｂとを有する。
【００６７】
図５Ａ及び図５Ｂに示すように、第１照射ユニット１２２ａは、不活化処理部３６Ａが載置される板状の支持部１２６ａと、支持部１２６ａに固定された複数の発光部１２８ａとを有する。支持部１２６ａは、平面視で不活化処理部３６Ａよりも大きく矩形状に形成されている（図４Ａ参照）。複数の発光部１２８ａは、発光ダイオードとして構成されており、支持部１２６ａの長手方向及び短手方向に複数配列されている（図５Ａ参照）。
【００６８】
各発光部１２８ａは、紫外線を発光する。具体的には、発光部１２８ａが照射する紫外線のピーク波長は、２００ｎｍ以上４００ｎｍ以下の範囲に設定されており、２９０ｎｍ以上３３０ｎｍ以下の範囲又は３６０ｎｍ以上３８０ｎｍ以下の範囲が好ましく、３００ｎｍ以上３１５ｎｍ以下の範囲がより好ましい。ピーク波長が３００ｎｍ以上３１５ｎｍ以下の範囲であると、赤血球を好適に透過させることができる。
【００６９】
図４Ｂ及び図５Ｂにおいて、第１照射ユニット１２２ａは、不活化処理部３６Ａの一方の面（下面）に接触する。第１照射ユニット１２２ａは、不活化処理部３６Ａの処理流路５８の全体に亘って紫外線を照射する。第２照射ユニット１２２ｂは、板状の支持部１２６ｂと、支持部１２６ｂに固定された複数の発光部１２８ｂとを有する。支持部１２６ｂ及び発光部１２８ｂは、支持部１２６ａ及び発光部１２８ａと同様に構成されている。
【００７０】
第２照射ユニット１２２ｂは、カバー９２が閉じられた状態で不活化処理部３６Ａの他方の面（上面）を覆うようにカバー９２に設けられている。この際、第２照射ユニット１２２ｂは、不活化処理部３６Ａの他方の面に対して接触する。ただし、第２照射ユニット１２２ｂは、カバー９２が閉じられた状態で不活化処理部３６Ａの他方の面に近接していてもよい。第２照射ユニット１２２ｂは、不活化処理部３６Ａの処理流路５８の全体に亘って紫外線を照射する。すなわち、第１照射ユニット１２２ａと第２照射ユニット１２２ｂとは、不活化処理部３６Ａの厚さ方向（処理流路５８における血液の流通方向と直交する方向）の両側から紫外線が照射されるように設けられている。
【００７１】
図４Ａ及び図４Ｂに示すように、第２光照射部１２４は、トレー１１６に設けられた第３照射ユニット１２４ａと、カバー９２の内面に設けられた第４照射ユニット１２４ｂとを有する。第３照射ユニット１２４ａは、板状の支持部１２７ａと、支持部１２７ａに固定された複数の発光部１２９ａとを含む。支持部１２７ａ及び発光部１２９ａは、支持部１２６ａ及び発光部１２８ａと同様に構成されている。第３照射ユニット１２４ａは、採血バッグ２６の一方の面（下面）に接触する。第３照射ユニット１２４ａは、採血バッグ２６のうち血液が収容される部分の全体に亘って紫外線を照射する。
【００７２】
第４照射ユニット１２４ｂは、板状の支持部１２７ｂと、支持部１２７ｂに固定された複数の発光部１２９ｂとを含む。支持部１２７ｂ及び発光部１２９ｂは、支持部１２６ａ及び発光部１２８ａと同様に構成されている。第４照射ユニット１２４ｂは、カバー９２が閉じられた状態で採血バッグ２６の他方の面（上面）を覆うように配置される。この際、第４照射ユニット１２４ｂは、採血バッグ２６の他方の面に対して接触する。ただし、第４照射ユニット１２４ｂは、カバー９２が閉じられた状態で採血バッグ２６の他方の面に近接してもよい。第４照射ユニット１２４ｂは、採血バッグ２６のうち血液が収容される部分の全体に亘って紫外線を照射する。すなわち、第３照射ユニット１２４ａと第４照射ユニット１２４ｂとは、採血バッグ２６の厚さ方向の両側から紫外線が照射されるように設けられている。
【００７３】
減圧ポンプ９８は、第１収容室１１８内及び第２収容室１２０内を減圧する。ただし、減圧ポンプ９８は、採血バッグ２６が配置される第２収容室１２０内のみを減圧するようにしてもよい。
【００７４】
次に、本実施形態に係る採血方法について説明する。
【００７５】
まず、図４Ａ及び図４Ｂに示すように、採血バッグ２６を第３照射ユニット１２４ａに載置し、前処理部１８及び分離処理部２０を第２収容室１２０内の邪魔にならない箇所に載置する。また、採血チューブ２８ｄを隔壁１０８の挿通孔１１４に通し、不活化処理部３６Ａを第１照射ユニット１２２ａに載置する。続いて、採血チューブ２８ｃをチューブ通路１００に通し、カバー９２を閉じて第１収容室１１８内及び第２収容室１２０内を気密に保持する。そして、電源スイッチ９４をオンにし、採血量（例えば、２００ｍｌ又は４００ｍｌ）等を設定する。
【００７６】
図１に示すように、続いて、採血針２２をドナーの血管に穿刺して、ドナーから血液を採取する（採取工程）。ここでは、採血バッグ２６への血液の採取に先行して、ドナーからの血液の初流（採血初流）を所定量だけ初流血バッグ３２に収容する。この場合、封止部材４８を閉塞状態（初期状態）としたまま、クランプ４４を開放状態とする。こうすることで、採血チューブ２８ｂ側、すなわち採血バッグ２６側への採血初流の流入が阻止される一方、採血チューブ２８ａ、分岐コネクタ３０及び分岐チューブ４２を経由して採血初流を初流血バッグ３２に導入することができる。
【００７７】
次に、サンプリングポート４６に図示しない採血管を装着することにより、当該採血管に採血初流を採取する。採取した採血初流は、検査用血液として使用される。なお、用途によっては、分岐コネクタ３０からサンプリングポート４６までの部分は省略されてもよい。
【００７８】
採血初流を採取し終えたら、クランプ４４により分岐チューブ４２を閉塞し、封止部材４８に対して破断操作を行って、採血チューブ２８ｂの流路を開通させる。これにより、血液が採血チューブ２８ｂに流入する。また、封止部材５１に対して破断操作を行うとともにクランプ５５を開放状態とする。これにより、懸架台に吊り下げられている収容バッグ３４内の不活化剤は、落差によって採血チューブ２８ｃ内に流入し、採血チューブ２８ｃにおいて血液に添加される（添加工程）。
【００７９】
さらに、採血装置１０Ａの開始スイッチを押すことによって採血処理を開始する。つまり、トレー１１６の揺動を開始するとともに、減圧ポンプ９８を駆動して第１収容室１１８内及び第２収容室１２０内を減圧する。また、第１光照射部１２２及び第２光照射部１２４を駆動する。
【００８０】
第２収容室１２０内が減圧されると、不活化剤が添加された血液が採血チューブ２８ｃを介して不活化処理部３６Ａの処理流路５８内に導かれる（導入工程）。図４Ａ、図４Ｂ、及び図５Ｂに示すように、不活化処理部３６Ａでは、第１光照射部１２２から処理流路５８を流れる血液に病原体を不活化する波長の光（紫外線）が照射される（光照射工程）。この際、第１光照射部１２２は、不活化処理部３６Ａを挟んだ両側（上下方向）から紫外線を照射する。これにより、紫外線を受けた不活化剤が活性化し、血液中の病原体が不活化される。不活化処理された血液は、採血チューブ２８ｄを介して採血バッグ２６内に導かれる。
【００８１】
採血バッグ２６では、第２光照射部１２４から採血バッグ２６内の血液に紫外線が照射される。この際、第２光照射部１２４は、採血バッグ２６を挟んだ両側（上下方向）から紫外線を照射する。これにより、採血バッグ２６内の血液の病原体がより確実に不活化されることとなる。
【００８２】
所定量の血液を採血バッグ２６に採血したら、チューブシーラー等によって採血チューブ２８ｄを溶着及び封止した後に採血チューブ２８ｄを封止した部分で切断する。次に、全血から所定細胞を除去する濾過工程を行う。濾過工程では、採血バッグ２６を相対的に上方位置とし、第１バッグ７０を相対的に下方位置とし、その中間位置にフィルタ６０を配置してから、入口側チューブ６４の一端部に設けられた封止部材６２に対して破断操作を行って、入口側チューブ６４の流路を開通させる。これにより、採血バッグ２６内の全血は、入口側チューブ６４を介してフィルタ６０に流入し、フィルタ６０を通る過程で白血球及び血小板を除去され、出口側チューブ６６を介して第１バッグ７０に流入し採取される。
【００８３】
その後、チューブシーラー等によって、出口側チューブ６６をクランプ６８より下流側の位置で溶着及び封止したうえで、出口側チューブ６６を封止した部分で切断する。
【００８４】
次に、第１バッグ７０に採取した血液成分を、図示しない遠心分離移送装置を用いて血漿及び濃厚赤血球に分離し、それぞれ所定のバッグに貯留する。これにより、不活化処理が実施された血液製剤を複数得ることができる。
【００８５】
次に、本実施形態に係る採血装置１０Ａ、採血キット１４、採血システム１２Ａ、採血方法及び不活化処理方法の効果について説明する。
【００８６】
採血装置１０Ａは、採血ライン２４及び採血バッグ２６を備えた採血キット１４が配置されるように構成され、ドナーに穿刺した採血針２２から採血ライン２４を介して採血バッグ２６内に血液を採取する。採血装置１０Ａは、採血バッグ２６を収容可能な第２配置部１１２（収容部）と、第２配置部１１２内（第２収容室１２０）を減圧することにより採血ライン２４を介して採血バッグ２６内に血液を吸引する減圧ポンプ９８と、採血ライン２４上に設けられた不活化処理部３６Ａを配置可能な第１配置部１１０と、第１配置部１１０に設けられ、不活化剤が添加され不活化処理部３６Ａを流れる血液に病原体を不活化する波長の光を照射する第１光照射部１２２と、を備える。
【００８７】
採血キット１４は、不活化剤が収容された収容バッグ３４と、収容バッグ３４内の不活化剤を採血ライン２４に導く分岐チューブ５３（導入チューブ）と、を備える。採血ライン２４には、不活化剤が添加された血液が流通し、病原体を不活化する波長の光が照射される不活化処理部３６Ａが設けられている。
【００８８】
これにより、不活化処理部３６Ａを流れる血液に病原体を不活化する波長の光を照射するため、採血バッグ２６には不活化処理が実施された後の血液が収容されることになる。つまり、採血中に病原体の不活化処理を行うことができる。これにより、採血バッグ２６に採取した血液を複数の血液製剤に分離した後、血液製剤毎に不活化処理を行う場合と比較して、不活化処理の時間及びコストを低減することができる。
【００８９】
第１光照射部１２２は、２００ｎｍ以上４００ｎｍ以下の範囲の波長を有する紫外線を照射しているため、病原体の不活化処理を効果的に行うことができる。
【００９０】
第１光照射部１２２は、不活化処理部３６Ａが第１配置部１１０に配置された状態で不活化処理部３６Ａを挟んだ両側（上下方向）から紫外線を照射するように構成された複数の発光部１２８ａ、１２８ｂを有している。これにより、不活化処理部３６Ａを流れる血液に紫外線を効率的に照射することができる。
【００９１】
発光部１２８ａ、１２８ｂは、発光ダイオードである。これにより、発光部１２８ａ、１２８ｂを水銀ランプで構成した場合と比較して発熱を抑えることができるため、発光部１２８ａ、１２８ｂを不活化処理部３６Ａに対して近接させることができる。これにより、処理流路５８を流通する血液に対して紫外線を一層効率的に照射することができる。
【００９２】
採血装置１０Ａは、第１光照射部１２２と、採血バッグ２６内に収容された血液に光を照射する第２光照射部１２４と、を備える。これにより、採血バッグ２６内に収容された血液に対して病原体の不活化処理を行うことができる。そのため、血液に対する病原体の不活化処理を一層確実に行うことができる。発光部１２９ａ、１２９ｂは、発光ダイオードである。よって、採血バッグ２６内の血液に対して紫外線を一層効率的に照射することができる。
【００９３】
第１配置部１１０は、第２配置部１１２に対して水平方向に隣接して設けられている。そのため、採血装置１０Ａの構成を簡素化することができる。
【００９４】
不活化処理部３６Ａの処理流路５８は、血液の流通方向と直交する幅方向の寸法（幅寸法ｗ）が流通方向及び幅方向と直交する高さ方向の寸法（高さ寸法ｈ）よりも長く形成されている。これにより、処理流路５８の高さ方向から処理流路５８内を流通する血液に紫外線を効率的に照射することができる。
【００９５】
不活化処理部３６Ａの処理流路５８の高さ寸法ｈは、５０μｍ〜４００μｍ以下に設定されている。これにより、不活化処理部３６Ａの処理流路５８を流れる血液の全体に光を効率的に照射することができる。
【００９６】
ドナーに穿刺した採血針２２から採血ライン２４を介して採血バッグ２６内に血液を採取する採血キット１４と、採血キット１４が配置されるように構成された採血装置１０Ａとを備える採血システム１２Ａにおいて、不活化処理部３６Ａ及び第１光照射部１２２は、不活化処理部３６Ａを流れる血液に対して３０Ｊ／Ｌ・ｃｍ2以上の積算光量を照射可能に構成されている。これにより、採血時に病原体の不活化処理を確実に行うことができる。
【００９７】
採血方法は、ドナーに穿刺した採血針２２から採血ライン２４を介して採血バッグ２６に血液を採血する方法であって、採血ライン２４を流れる血液に不活化剤を添加する添加工程と、不活化剤が添加された血液に病原体を不活化する波長の光を照射する光照射工程と、光が照射された血液を採血バッグ２６に収容する収容工程とを行う。
【００９８】
また、不活化処理方法は、ドナーから全血を穿刺するための採血針２２と、全血を収容する採血バッグ２６（収容バッグ）と、採血針２２と採血バッグ２６とをつなぐ採血ライン２４と、採血ライン２４上に設けられた不活化処理部３６Ａとを備える採血キット１４を用いて全血の病原体を不活化処理する。この不活化処理方法では、ドナーから採血針２２を介して全血を採取する採取工程と、採取した全血に不活化剤を添加する添加工程と、採取した全血を不活化処理部３６Ａに導入する導入工程と、導入工程によって不活化処理部３６Ａに導入され且つ添加工程によって不活化剤が添加された全血に病原体を不活化する波長の光を照射する光照射工程とを行なう。これにより、採血時に病原体の不活化処理を行うことができる。
【００９９】
採血キット１４は、不活化処理部３６Ｂに代えて図６Ａ〜図９Ｂに示す不活化処理部３６Ｂ〜３６Ｇを備えていてもよい。なお、不活化処理部３６Ｂ、３６Ｃにおいて、上述した不活化処理部３６Ａと同様の構成には同一の参照符号を付し、詳細な説明は省略する。
【０１００】
図６Ａに示すように、不活化処理部３６Ｂは、処理流路５８の幅方向の中央に３つ設けられた中央壁部１３０ａ〜１３０ｃと、処理流路５８の幅方向の両側に２つずつ設けられた側方壁部１３２、１３４とを有する。中央壁部１３０ａ〜１３０ｃ及び側方壁部１３２、１３４は、処理流路５８の高さ寸法の全長に亘って延在している。ただし、中央壁部１３０ａ〜１３０ｃ及び側方壁部１３２、１３４のそれぞれの高さ寸法（処理本体部５２の厚さ方向に沿った寸法）は、処理流路５８の高さ寸法よりも小さくてもよい。
【０１０１】
中央壁部１３０ａ〜１３０ｃは、血液の流通方向（処理本体部５２の長手方向）に互いに離間している。中央壁部１３０ａは、入口ポート５４に向かって突出するように円弧状に湾曲している。中央壁部１３０ｂ、１３０ｃは、出口ポート５６に向かって突出するように円弧状に湾曲している。２つの側方壁部１３２と２つの側方壁部１３４のそれぞれは、処理本体部５２の長手方向に互いに離間している。側方壁部１３２、１３４は、処理流路５８を構成する側面から処理流路５８の幅方向中央に向かって入口ポート５４側に傾斜するように延在している。
【０１０２】
不活化処理部３６Ｂの処理流路５８には、血液の流通方向と交差する方向に延在した壁部（中央壁部１３０ａ〜１３０ｃ及び側方壁部１３２、１３４）が設けられている。これにより、処理流路５８内の血液の流れが中央壁部１３０ａ〜１３０ｃ及び側方壁部１３２、１３４によって妨げられるため、中央壁部１３０ａ〜１３０ｃ及び側方壁部１３２、１３４が設けられていない場合と比較して入口ポート５４から出口ポート５６まで血液が流れる時間が長くなる。そのため、処理流路５８内を流通する血液に対する光の照射時間（血液の単位面積当たりの光の積算照射量）を長くすることができる。よって、処理流路５８内の血液の病原体の不活化をより確実に行うことができる。
【０１０３】
図６Ｂに示すように、不活化処理部３６Ｃは、処理流路５８の幅方向の中央に２つ設けられた中央壁部１３６ａ、１３６ｂと、側方壁部１３２、１３４とを有する。中央壁部１３６ａは、幅方向に沿って延在した中央延在部１３８と、中央延在部１３８の両端から幅方向外方に向かって出口ポート５６が位置する側に傾斜した傾斜部１４０と、を含む。中央壁部１３６ｂは、処理流路５８の幅方向に延在している。この不活化処理部３６Ｃによれば、不活化処理部３６Ｂと同様の効果を奏する。
【０１０４】
図６Ｃに示すように、不活化処理部３６Ｄは、平面視で矩形状の処理本体部１５０と、入口ポート５４と、出口ポート５６とを備える。入口ポート５４は、処理本体部１５０の一方の長辺の一端部に設けられ、出口ポート５６は、処理本体部１５０の他方の長辺の他端部に設けられている。処理本体部１５０には、蛇行するように延在した処理流路１５２が形成されている。処理流路１５２は、処理本体部１５０の短手方向に沿って延在する直線流路１５４ａと、処理本体部１５０の短手方向の端部で１８０°向きを変えるように半円状に湾曲した曲がり流路１５４ｂとを含む。隣接する直線流路１５４ａの間隔は、直線流路１５４ａの幅寸法よりも狭い。
【０１０５】
不活化処理部３６Ｄの処理流路１５２は、蛇行するように延在している。これにより、処理流路１５２内を流通する血液に対する紫外線の照射時間を長くすることができる。
【０１０６】
図６Ｄに示すように、不活化処理部３６Ｅは、平面視で矩形状の処理本体部１６０と、入口ポート５４と、出口ポート５６とを備える。処理本体部１６０には、蛇行するように延在した処理流路１６２が形成されている。処理流路１６２は、処理本体部１６０の一方の長辺に向かって突出するように湾曲した湾曲流路１６４ａと、処理本体部１６０の他方の長辺に向かって突出するように湾曲した湾曲流路１６４ｂとが処理本体部１６０の長手方向に沿って交互に設けられるようにして形成されている。長手方向に隣接する湾曲流路１６４ａの間隔は、湾曲流路１６４ａの流路幅よりも広い。この不活化処理部３６Ｅによれば、不活化処理部３６Ｄと同様の効果を奏する。
【０１０７】
図７Ａに示すように、不活化処理部３６Ｆは、チューブ状の処理本体部１７０と、処理本体部１７０の一端に設けられた入口ポート１７２と、処理本体部１７０の他端に設けられた出口ポート１７４とを備える。処理本体部１７０は、処理流路１７５を有する（図７Ｂ参照）。処理本体部１７０は、入口ポート１７２から直線状に延在した入口側直線部１７６ａと、入口側直線部１７６ａから半円状に湾曲した中間湾曲部１７６ｂと、中間湾曲部１７６ｂから出口ポート１７４まで直線状に延在した出口側直線部１７６ｃとを有する。入口側直線部１７６ａと出口側直線部１７６ｃとは互いに平行に延在している。
【０１０８】
図７Ａ及び図７Ｂに示すように、この場合、採血装置１０Ａは、第１光照射部１２２に代えて第１光照射部１８０が用いられる。第１光照射部１８０の第１照射ユニット１８２ａは、不活化処理部３６Ｆが挿入可能な溝１８４が形成された支持部１８６ａと、支持部１８６ａに固定された複数の発光部１８８ａ〜１８８ｃとを有する。溝１８４は、不活化処理部３６Ｆの形状に対応した形状に形成されている。発光部１８８ａ〜１８８ｃは、溝１８４を３方向から囲むように溝１８４に沿って配置されている。つまり、発光部１８８ａは、溝１８４の下方に位置し、発光部１８８ｂ、１８８ｃは、溝１８４の左右両側に位置している。
【０１０９】
図７Ｂにおいて、第１光照射部１８０の第２照射ユニット１８２ｂは、カバー９２の内面に設けられた支持部１８６ｂと、複数の発光部１８８ｄとを含む。複数の発光部１８８ｄは、カバー９２が閉じられた状態で処理本体部１７０を上方から覆うように処理本体部１７０に沿って配列されている。
【０１１０】
この場合、処理本体部１７０は、チューブ状に構成されており、発光部１８８ａ〜１８８ｄは、不活化処理部３６Ｆが第１配置部１１０に配置された状態で処理本体部１７０の周方向に等間隔に設けられている。そのため、不活化処理部３６Ｆの血液の流通方向と直交する第１方向に不活化処理部３６Ｆを挟んだ両側と、流通方向及び第１方向に直交する第２方向に不活化処理部３６Ｆを挟んだ両側とから光が照射される。よって、不活化処理部３６Ｆの処理流路１７５を流れる血液に光をさらに効率的に照射することができる。
【０１１１】
また、第１光照射部１８０は、不活化処理部３６Ｆが挿入可能な溝１８４が形成された支持部１８６ａを有し、複数の発光部１８８ａ〜１８８ｃは、支持部１８６ａに固定されている。そのため、発光部１８８ａ〜１８８ｃに対する不活化処理部３６Ｆの位置を略一定にすることができる。よって、処理流路１７５内を流通する血液に紫外線を安定して照射することができる。
【０１１２】
図８Ａに示すように、不活化処理部３６Ｇは、一方向に延在した複数（図８Ａでは７つ）の板状の処理本体部１９０と、各処理本体部１９０の一端と採血チューブ２８ｃとを連結する第１連結部１９２と、各処理本体部１９０の他端と採血チューブ２８ｄとを連結する第２連結部１９４と、複数の処理本体部１９０を保持する保持部１９６と、保持部１９６に設けられた取手１９８とを備える。図９Ｂにおいて、各処理本体部１９０は、矩形状の横断面を有している。各処理本体部１９０には、２つの処理流路２００が全長に亘って形成されている。これら処理流路２００は、第１連結部１９２の図示しない流路を介して採血チューブ２８ｃの内孔に連通し、第２連結部１９４の図示しない流路を介して採血チューブ２８ｄの内孔に連通する。２つの処理流路２００は、処理本体部１９０の横断面の長手方向である幅方向に並設されている。また、処理流路２００は、幅寸法が高さ寸法（処理本体部１９０の厚さ方向に沿った寸法）よりも大きい。
【０１１３】
この場合、図８Ｂに示すように、採血装置１０Ａは、第１光照射部１２２に代えて第１光照射部２０２が用いられる。第１光照射部２０２は、複数（図８Ｂでは７つ）の溝２０４が形成された支持部２０６と、支持部２０６に固定された複数の発光部２０８とを有する。第１光照射部２０２は、平面視で矩形状に形成されている。各溝２０４は、第１光照射部２０２の長手方向の全長に亘って延在している。図９Ｂにおいて、各溝２０４は、各処理本体部１９０が挿入可能な大きさに形成されている。発光部２０８は、溝２０４に処理本体部１９０が挿入された状態で処理流路２００を溝２０４の幅方向から挟むように設けられている。つまり、発光部２０８は、溝２０４の深さ方向に沿って２つ並設されている。
【０１１４】
図９Ａ及び図９Ｂに示すように、このような不活化処理部３６Ｇ及び第１光照射部２０２では、取手１９８を把持した状態で複数の処理本体部１９０を第１光照射部２０２の複数の溝２０４に同時に挿入することができる。これにより、不活化処理部３６Ｇの第１光照射部２０２に対する装着を容易に行うことができる。また、この構成によれば、処理流路２００を挟んだ両側から紫外線が照射されるため、不活化処理部３６Ｇを流れる血液に光を効率的に照射することができる。
【０１１５】
次に、変形例に係る採血システム１２Ｂについて図１０を参照しながら説明する。図１０に示すように、この採血システム１２Ｂの採血装置１０Ｂでは、不活化処理部３６Ａが配置可能な第１配置部１１０が、採血バッグ２６が配置可能な第２配置部１１２の上方に位置している、この場合、カバー９２は、第１配置部１１０を開閉する第１カバー部２１０と、第２配置部１１２を開閉する第２カバー部２１２とを有する。第２カバー部２１２には、採血チューブ２８ｄが挿通する挿通孔２１４が形成されている。このような構成によれば、第１配置部１１０が第２配置部１１２の上方に隣接して設けられている。そのため、第１配置部１１０と第２配置部１１２とを水平方向に隣接して配置した場合と比較して採血装置１０Ｂの設置面積を小さくすることができる。
【０１１６】
本発明は、上述した構成に限定されない。採血システム１２Ａ、１２Ｂにおいて、採血装置１０Ａ、１０Ｂは、採血ライン２４を流れる血液又は不活化処理部３６Ａ〜３６Ｇ内の血液に不活化剤を添加する機構を備えていてもよい。
【０１１７】
本発明に係る採血装置、採血キット、採血システム、採血方法及び不活化処理方法は、上述の実施形態に限らず、本発明の要旨を逸脱することなく、種々の構成を採り得ることはもちろんである。
【符号の説明】
【０１１８】
１０Ａ、１０Ｂ…採血装置            １２Ａ、１２Ｂ…採血システム
１４…採血キット                    ２６…採血バッグ
３６Ａ〜３６Ｇ…不活化処理部        １１０…第１配置部
１１２…第２配置部                  １２２、１８０、２０２…第１光照射部
１２４…第２光照射部                
【図１】
2018157964.tif 000003
【図２】
2018157964.tif 000004
【図３】
2018157964.tif 000005
【図４】
2018157964.tif 000006
【図５】
2018157964.tif 000007
【図６】
2018157964.tif 000008
【図７】
2018157964.tif 000009
【図８】
2018157964.tif 000010
【図９】
2018157964.tif 000011
【図１０】
2018157964.tif 000012